(57)【要約】【課題】腰のある硬い布素材のバッグでも無理なく楽に折畳め、折畳み状態の固定できる底壁包み折畳み構造体を提供する。【解決手段】天面の開いた直方体類似形状の器体1の折畳み順序を述べるならば、前壁2と背壁3とを折出して、ａ側壁4とｂ側壁5とを内側に倒れ込ませ、折出ている前壁2と背壁3とを側壁に折り重ね、平たい矩形状に折畳まれた状態で、底壁6を曲げる事で包み込み、この包み込み状態を伸縮具によって固定する。【選択図】  図１
2007217046.tif 000002
【特許請求の範囲】
【請求項１】
天面開口の器体1に於いて、前壁2と背壁3とを折り出す事で連動するａ側壁4とｂ側壁5とを内側に倒れ込ませ、折り出ている前壁2及び背壁3とを側壁に折り重ね、底壁6を曲げる事で包み込み、前記包み込み状態を固定具によって固定する事を特徴とした底壁包み折畳み構造体。
【請求項２】
固定具を伸縮具7にした事を特徴とした、請求項１記載の底壁包み折畳み構造体。
【発明の詳細な説明】
【技術分野】
【０００１】
本発明は、鞄や袋などの器体の底壁で包み込むようにして折畳んでいく、底壁包み折畳み構造体に関する。
【背景技術】
【０００２】
従来の底壁包み折畳み構造体は、底壁の周囲にファスナーを設け、器体の上部を、二つ折りされた底壁の間へ押し込んで挟み込み、底壁周囲のファスナーを閉じる事で収納する折畳み構造体であった。
【発明の開示】
【発明が解決しようとする課題】
【０００３】
二つ折りされた底壁の間へ器体の上部を押し込む構造である事から、器体の少なくても上部は柔らかい素材でなければならず、ファスナー閉じなので底壁は二つ折りしかできず、ファスナーの開閉自体手間の掛かる作業で、閉じる時に器体の一部が食込んでスライダーがスライドしないなどのトラブルの発生があった。本発明では、前記従来技術の問題解決を課題とする。
【課題を解決するための手段】
【０００４】
前壁と背壁の折り出しに連動して側壁は内側へ倒れ込み、倒れ込んだ各々の側壁を押し倒して底壁へ押し付け、折り出された前壁と背壁を側壁上に折り重ね、底壁上に折り重なった状態で底壁を折り曲げて包み込み、底壁による包み込み状態を伸縮具で固定する。
【発明の効果】
【０００５】
底壁周囲四方の立壁は、各々の中心線及び、少なくても中心線の基部を折り曲げずに折り重ねられるので、腰のある硬い素材でも使用でき、ファスナー閉じでないので、底壁を二つ折りだけに留まらず、三つ折りなどの複数折りや、丸める事も可能で、スライダーが引っ掛かるトラブルは無く、雑に折畳んでも、伸縮具で容易に固定する事ができ、伸縮具は底壁の外面に取り付けている事から、バッグとして使用している時も邪魔にならない。
【発明を実施するための最良の形態】
【０００６】
最良の形態を、図１から図６を参照しながら、以下の実施例で説明する。
【実施例１】
【０００７】
図１は、要部透し部分剥離斜視図であり、太い矢印は壁の折畳み方向を示しており、谷折山折の折り曲げ方向は、器体1の内側からを基準にし、器体1は少なくても折畳む時には天面を有しておらず、素材は支えが無くても自立、或いは自立に近い状態が保てる程の腰を有する硬い素材である事が望ましく、前記素材は布である事が望ましいが、不織布、紙、人工樹脂であっても良く、器体1の全体形状は、天面の無い直方体であっても良いし、前壁2と背壁3、又は、ａ側壁4とｂ側壁5というように、対面する壁どうしを天辺が長い逆さ台形に変形した直方体類似形状であっても良く、矩形の底壁6の長辺を前後に位置付け、底壁6に於いて、前辺に谷折線を介して前壁2を設け、後辺である背辺に谷折線を介して背壁3を設け、側辺の一方に谷折線を介してａ側壁4を設け、側辺の他方に谷折線を介してｂ側壁5を設け、底壁6四隅から上の辺を縫合によって連結する事が望ましく、前記連結方法は溶着や接着などの貼着であっても良く、底壁6の外面に伸縮具7を取り付け、伸縮具7は伸縮する素材であるならば限定しないが、ゴムである事が望ましく、伸縮具7の取り付け構造に於いて、底壁6に穴を開けて伸縮具7を通しても良いが、両端を縫合する事が望ましく、縫合して取り付けるのであれば、伸縮具7の断面が丸い丸ゴムよりも断面が平たい平ゴムである方が望ましく、取り付け本数は一本であっても良いが、二本である方が望ましく、取り付け方向は底壁6の長手方向と平行である事が望ましく、取り付け位置は底壁6を長手方向に二等分する一方の領域であっても良いが、底壁6を長手方向に三等分した中央の領域である事が望ましく、前壁2と背壁3との各々の上部中央には従来技術で取手8を設ける事が望ましいが、取手8をベルト及び紐にして、側壁どうしを橋渡しする形状にしても良く、器体1の折畳み順序に於いて、前壁2と背壁3の各々の上辺中央に指を引っ掛け、太い矢印で示した外側へ引き出す事で折り出され、前記折り出しの連動で、ａ側壁4とｂ側壁5の各々の壁は、下辺を中心とする円周状に内側へ引き込まれて倒れ込む。
【実施例２】
【０００８】
図２は、ａ側壁倒れ込み斜視図であり、前壁2と背壁3との折出しによる連動で両方の側壁が内側へ引き込まれるのであるが、器体1に高さがあり、倒れ込み時に側壁の上辺がぶつかり合うならば、完全に倒れ込ませる事はできないので、どちらか一方の側壁から押し倒す必要があり、前記一方の側壁とするａ側壁4を手で押し倒し、器体1の折畳み順序の別な例として、側壁を折出して、次に前壁2と背壁3を内側へ倒れ込ませても良い。
【実施例３】
【０００９】
図３は、両側壁倒れ込み斜視図であり、一方の側壁とするａ側壁4を押し倒した後、その上にｂ側壁5も押し倒して重ね、折り出された状態の前壁2及び背壁3の双方を折出し域9と称する。
【実施例４】
【００１０】
図４は、折出し域9の折込み斜視図であり、折込みの言葉の意味は内側へ折り入れる事とし、前に折出ていた折出し域9と、背方に折出ていた折出し域9´とを内側へ折込んで、底壁6の上に重ねる事で平らな矩形折畳み状態にする。
【実施例５】
【００１１】
図５は、底壁折畳み過程斜視図であり、図４で示した平らな矩形折畳み状態の器体1から、底壁6の長手方向の端領域を折上げる事で器体1の上部領域を包み込み、底壁6の折り曲げは三つ折りである事が望ましいのであるが、二つ折りや四つ折りであっても良く、折り曲げるのではなく、巻き込むようにして包み込んでも良い。
【実施例６】
【００１２】
図６は、伸縮具での固定状態斜視図であり、底壁6を三つ折りして器体1の上部領域を包み込み、底壁6の外面中央に両端を縫合された平ゴムである伸縮具7を裏返す事で、底壁6の三つ折り状態は固定され、太い矢印は、伸縮具7の裏返し方向を示しており、底壁6での包み込み状態の固定方法は、伸縮具7の他、面ファスナー、ホック、ボタン、紐を用いても良い。
【図面の簡単な説明】
【００１３】
【図１】要部透し部分剥離斜視図（実施例１）
【図２】ａ側壁倒れ込み斜視図（実施例２）
【図３】両側壁倒れ込み斜視図（実施例３）
【図４】折出し域9の折込み斜視図（実施例４）
【図５】底壁折畳み過程斜視図（実施例５）
【図６】伸縮具での固定状態斜視図（実施例６）
【符号の説明】
【００１４】
１  器体
２  前壁
３  背壁
４  ａ側壁
５  ｂ側壁
６  底壁
７  伸縮具
【図１】
2007217046.tif 000003
【図２】
2007217046.tif 000004
【図３】
2007217046.tif 000005
【図４】
2007217046.tif 000006
【図５】
2007217046.tif 000007
【図６】
2007217046.tif 000008